(57)【要約】      （修正有）【課題】被照射物に効率的に量子波を照射できるようにする。【解決手段】金属筐体２２に、半導体パウダーが練り込まれた樹脂パネル２３を内張りして、内部に被治療者や物質を収容する大型のドーム２を形成する。したがって、金属筐体２２から輻射された量子波は、被照射物としての、たとえば被治療者（人体）に照射され、さらに被治療者を透過したり被治療者で反射されたりした量子波は、前記半導体パウダーで反射されて再び被治療者に照射される。こうして、量子波を被治療者の全身に、効率良く照射することができる。或いは、他の被照射物として、食物や生物、工業製品などの種々の物体の場合には、その変性を、効率的に行うこともできる。【選択図】図１
2017094052.tif 000002
【特許請求の範囲】
【請求項１】
量子波が与えられることで、該量子波を内部に輻射する金属筐体と、
樹脂に、前記量子波を反射する半導体パウダーが練り込まれて成り、前記金属筐体の内側に貼付けられる樹脂パネルとを含み、
前記内部に収容した被照射物に前記量子波を照射することを特徴とする量子照射用ドーム。
【請求項２】
前記半導体パウダーは、２〜２０重量％、特に好ましくは５重量％含有されていることを特徴とする請求項２記載の量子照射用ドーム。
【請求項３】
前記半導体パウダーが５重量％含有されている場合、前記樹脂パネルは２ｍｍ以上の板厚に形成されることを特徴とする請求項２記載の量子照射用ドーム。
【請求項４】
前記半導体パウダーは、金属酸化物および／またはケイ酸塩化合物であることを特徴とする請求項１〜３の何れか１項に記載の量子照射用ドーム。
【請求項５】
前記金属酸化物は、酸化亜鉛、酸化チタン、酸化ジルコニウム、ケイ酸マグネシウム、酸化アルミニウムの少なくとも１つを含むことを特徴とする請求項４記載の量子照射用ドーム。
【請求項６】
前記樹脂には、導電性を持たせるための金属パウダーが、さらに練り込まれていることを特徴とする請求項１〜５の何れか１項に記載の量子照射用ドーム。
【請求項７】
前記半導体パウダーおよび金属パウダーは、１０〜１００μｍ、特に好ましくは３０〜５０μｍの粉体であることを特徴とする請求項６記載の量子照射用ドーム。
【請求項８】
円筒状または略六角筒状に形成されることを特徴とする請求項１〜７の何れか１項に記載の量子照射用ドーム。
【請求項９】
前記金属筐体は、
強度を得るための外殻と、
前記外殻と電気的に接続される支持部材によって、前記外殻の内側に予め定める間隔を開けて配置されて、前記量子波を反射する中殻と、
前記中殻の内側に予め定める間隔を開けて、かつ前記中殻から電気的に絶縁されて配置され、前記量子波が与えられる内殻とを備えて構成されることを特徴とする請求項１〜８の何れか１項に記載の量子照射用ドーム。
【請求項１０】
量子波発生器からの量子波が前記金属筐体に与えられ、前記被照射物である人間の治療を行うことを特徴とする請求項１〜９の何れか１項に記載の量子照射用ドーム。
【請求項１１】
量子波発生器からの量子波が前記金属筐体に与えられ、前記被照射物である物体の原子核を変性させることを特徴とする請求項１〜９の何れか１項に記載の量子照射用ドーム。
【発明の詳細な説明】
【技術分野】
【０００１】
本発明は、量子波を用いて、被治療者を治療したり、物体を変性したりする際に用いる量子照射用ドームに関する。
【背景技術】
【０００２】
従来から、人体にマイクロ波や電磁波などを照射して、血行の改善を図ったり、患部の治癒効果を高めたりする治療器が市販されている。しかしながら、効果が乏しかったり、人体の内部への効果が低い（浸透し難い）ので、本件発明者は、先に特許文献１を提案している。
【０００３】
特許文献１は、交流電源をバイアスに、所謂鉱石ラジオのようなメカニズムで外部から受信された電磁波を、ＬＣ並列共振回路で増幅して重畳し、負の成分のみを取出して電極などから患部へ印加することで、前記電極を構成する素材原子の外殻電子軌道に変動を生じさせ、それに伴う陽子の振動によって量子波を発生させ、患部に照射することで、前記患部の細胞を活性化している。
【０００４】
特許文献２では、その量子波および遠赤外線を医療用シートに照射し、その医療用シートを人体に貼付けることで、同様の効果を得るようにしている。
【０００５】
特許文献３では、量子波を食用油に照射することで、該食用油を変性させ、酸化防止に用いている。
【先行技術文献】
【特許文献】
【０００６】
【特許文献１】特許第５６８４４３４号公報
【特許文献２】特許第５６５７８４１号公報
【特許文献３】特許第５７２７１０４号公報
【発明の概要】
【発明が解決しようとする課題】
【０００７】
上述の特許文献１，２は、量子波を用いているので、人体の内部、特に前記マイクロ波や電磁波を遮蔽してしまう頭蓋の内部などの治療を行うこともでき、また小型の構成で取扱いも容易である。しかしながら、局所的な対応であり、全身に亘る広範な治療を、効率良く行うことができない。特許文献３も、電極を食用油に浸漬させたり、食用油を収容している金属筐体に電極を接触させたりしているので、変性させられる物体に限りがある。
【０００８】
本発明の目的は、量子波による治療や物体の変性を行うにあたって、全身に亘る広範な治療や、広範な物体の変性を行うことができる量子照射用ドームを提供することである。
【課題を解決するための手段】
【０００９】
本発明の量子照射用ドームは、量子波が与えられることで、該量子波を内部に輻射する金属筐体と、樹脂、好ましくはＡＢＳに、前記量子波を反射する半導体パウダーが練り込まれて成り、前記金属筐体の内側に貼付けられる樹脂パネルとを含み、前記内部に収容した被照射物に前記量子波を照射することを特徴とする。
【００１０】
上記の構成によれば、内部に量子波を輻射する金属筐体に、前記量子波を反射する半導体パウダーが練り込まれた樹脂を内張りして、内部に被治療者や物質を収容する大型のドームを設ける。本件発明者の実験結果では、半導体パウダーは、高い効率で量子波を反射するので、ドームに内張りされる材料としては好適である。したがって、金属筐体に、量子波が与えられると、外部への放射も行われるが、内部は前記半導体パウダーを含む樹脂による繰返しの反射によって、量子波を効率良く封じ込めることができる。そして、量子波発生器によって前記ドームの金属筐体から量子波を輻射させると、その量子波は、たとえば前記被照射物としての被治療者（人体）に照射され、さらに被治療者を透過したり被治療者で反射されたりした量子波は、樹脂の半導体パウダーで反射されて再び被治療者に照射されることになる。
【００１１】
こうして、人体の内部に到達し易く、骨なども通過すると言う特徴を有する量子波を、被治療者の全身に、効率良く照射することができる。これによって、全身を活性化したり、複雑に関連する臓器の調子を整えたり、或いは全身に散らばった癌を萎縮させたりすることができる。また、他の被照射物としては、食物や生物、工業製品などの種々の物体であり、その原子核の変性を、効率的に行うこともできる。量子としては、光子、電子、クウォーク、ニュートリノ等が挙げられる。
【００１２】
また、本発明の量子照射用ドームでは、前記半導体パウダーは、２〜２０重量％、特に好ましくは５重量％含有されていることを特徴とする。
【００１３】
上記の構成によれば、本件発明者の実験結果では、半導体パウダーの濃度に対して、量子波の反射率は、２重量％程度で飽和を始めるので、最小の含有量はこの２重量％とすることで、コストパフォーマンスを高めることができる。そして、濃度ばらつきなどを考慮して、最適値は、５重量％とするのがよい。一方、最大値は、２０重量％でほぼ完全に飽和するので、材料費を抑え、また樹脂の強度低下を抑えるためにも、この２０重量％とするのがよい。
【００１４】
さらにまた、本発明の量子照射用ドームでは、前記半導体パウダーが５重量％含有されている場合、前記樹脂パネルは２ｍｍ以上の板厚に形成されることを特徴とする。
【００１５】
上記の構成によれば、樹脂パネルが厚ければ、反射の効果が大きくなるが、コストが掛る。
【００１６】
したがって、樹脂パネルを２ｍｍ以上の板厚とすることで、半導体パウダーが５重量％含有されている場合における所期の反射率を得ることができる。また、２ｍｍとすることで、コストパフォーマンスを高めることができる。
【００１７】
また、本発明の量子照射用ドームでは、前記半導体パウダーは、金属酸化物および／またはケイ酸塩化合物であることを特徴とする。
【００１８】
上記の構成によれば、本件発明者の実験結果では、半導体パウダーとしては、金属酸化物やケイ酸塩化合物が、量子波を反射させる効果が大きい。前記金属酸化物としては、酸化亜鉛、酸化チタン、酸化ジルコニウム、ケイ酸マグネシウム、酸化アルミニウムの少なくとも１つを含むことが好ましい。また、前記金属酸化物やケイ酸塩化合物は、複数種類が組合わせて用いられることが好ましい。
【００１９】
また、本発明の量子照射用ドームでは、前記樹脂には、導電性を持たせるための金属パウダーが、さらに練り込まれていることを特徴とする。
【００２０】
上記の構成によれば、前記樹脂には、金属酸化物やケイ酸塩化合物などの半導体パウダーに、導電性を持たせるための金属パウダーが、さらに練り込まれていることで、前記量子波を反射させる効果をより大きくすることができる。
【００２１】
さらにまた、本発明の量子照射用ドームでは、前記半導体パウダーおよび金属パウダーは、１０〜１００μｍ、特に好ましくは３０〜５０μｍの粉体であることを特徴とする。
【００２２】
上記の構成によれば、前記量子波を反射させる効果をより大きくすることができる。
【００２３】
また、本発明の量子照射用ドームは、円筒状または略六角筒状に形成されることを特徴とする。
【００２４】
上記の構成によれば、円筒または略六角筒のドームは、光学測定で用いられる積分球のように機能し、その円筒または略六角筒の中心から下方に配置される被治療者に対して、内壁面で反射した量子波は集中する。
【００２５】
したがって、被治療者や物体に、効率的に量子を照射することができる。
【００２６】
さらにまた、本発明の量子照射用ドームでは、前記金属筐体は、強度を得るための相対的に肉厚の外殻と、前記外殻と電気的に接続される支持部材によって、前記外殻の内側に予め定める間隔を開けて配置されて、前記量子波を反射する中殻と、相対的に薄肉に形成され、前記中殻の内側に予め定める間隔を開けて、かつ前記中殻から電気的に絶縁されて配置され、前記量子波が与えられる内殻とを備えて構成されることを特徴とする。
【００２７】
上記の構成によれば、相対的に肉厚の外殻で強度を持たせるとともに、外部電磁波を遮断し、中殻で量子波を内側に反射し、電気的に絶縁されて相対的に薄肉の内殻に、前記量子波発生器からの量子波を与えて、前記内部へ輻射させるとともに、被治療者や物体からの反射波を再反射させる。
【００２８】
したがって、極めて効率的に、被治療者や物体に量子波を照射することができる。
【００２９】
また、本発明の量子照射用ドームでは、量子波発生器からの量子波が前記金属筐体に与えられ、前記被照射物である人間の治療を行うことを特徴とする。
【発明の効果】
【００３０】
本発明の量子照射用ドームは、以上のように、内部に量子波を輻射する金属筐体に、高い効率で量子波を反射する半導体パウダーが練り込まれた樹脂を内張りして、内部に被治療者や物質を収容する大型のドームを形成する。
【００３１】
それゆえ、たとえば被照射物としての被治療者（人体）に照射され、さらに被治療者を透過したり被治療者で反射されたりした量子波は、樹脂の半導体パウダーで反射されて再び被治療者に照射されることになり、被治療者の全身に、効率良く照射することができる。或いは、他の被照射物として、食物や生物、工業製品などの種々の物体の場合には、その変性を、効率的に行うこともできる。
【図面の簡単な説明】
【００３２】
【図１】本発明の実施の一形態に係る量子治療器の全体構成を示す図である。
【図２】前記量子治療器の使用状態を示す図である。
【図３】本発明の実施の一形態に係る量子照射用ドームの構造を示す模式的な鉛直断面図である。
【図４】第２の量子波発生器の電気回路図である。
【図５】第３の量子波発生器であるＬＥＤ量子照射器周りの構成を示す斜視図である。
【図６】ＬＥＤへの量子情報の照射方法を模式的に示す図である。
【発明を実施するための形態】
【００３３】
図１は本発明の実施の一形態に係る量子治療器１の全体構成を示す図であり、図２はその量子治療器１の使用状態を示す図である。図２では図１の構成を、一部省略している。この量子治療器１は、被照射物としての被治療者９に治療を行う場所に設置される量子照射用ドーム２と、量子波発生器としてのアンテナ３と、他の量子波発生器４と、高電圧治療器５と、さらに他の量子波発生器としてのＬＥＤ量子照射器６と、該治療を行う場所、或いは離間した任意の場所などの何れかに設置される量子波発振器としてのアンテナ８とを備えて構成される。
【００３４】
ドーム２は、その内壁面２１が量子波を輻射および反射する材料から成る大型のドームであり、被治療者９を収容する。このドーム２内には、アンテナ３、量子波発生器４およびＬＥＤ量子照射器６で発生された量子波が放射される。放射された量子波は被治療者９に照射され、さらに被治療者９を透過したり被治療者９で反射されたりした量子波は、ドーム２内で反射されて再び被治療者９に照射されることになる。
【００３５】
こうして、人体の内部に到達し易く、骨なども通過すると言う特徴を有する量子波を、被治療者９の全身に、効率良く照射することができる。これによって、全身を活性化したり、複雑に関連する臓器の調子を整えたり、或いは全身に散らばった癌を萎縮させたりすることができる。量子としては、光子、電子、クウォーク、ニュートリノ等が挙げられる。
【００３６】
図３は、ドーム２の構造を示す模式的な鉛直断面図である。大略的に、ドーム２は、量子波を輻射することができる金属筐体２２の内側に、量子波を反射することができる樹脂パネル２３が貼付けられて構成される。樹脂パネル２３の樹脂２３１は、好ましくはＡＢＳであり、その樹脂２３１に、量子波を反射する半導体パウダー２３２が練り込まれ、成型されて該樹脂パネル２３が構成される。本件発明者の実験結果では、半導体パウダー２３２は、高い効率で量子波を反射するので、ドーム２に内張りされる材料としては好適である。したがって、金属筐体２２に、量子波が与えられると、外部への放射も行われるが、内部は前記半導体パウダー２３２を含む樹脂２３１による繰返しの反射によって、量子波を効率良く封じ込めることができる。
【００３７】
そして、量子治療器１に用いられる量子照射用ドーム２としては、円筒状またはこの図３のような略六角筒状に形成されることが好ましい。そうすることで、円筒または略六角筒のドームは、光学測定で用いられる積分球のように機能し、その円筒または略六角筒の中心から下方に配置される被治療者９に対して、内壁面２１で反射した量子波が集中する。これによって、被治療者９に、効率的に量子を照射することができる。また、量子照射用ドーム２は、被治療者９としての人間を内部に収容するので、前記の量子波の効率的な照射の面だけでなく、閉塞感を持たせ無いように、端部が開放した前記略六角筒状または円筒状が好ましい。
【００３８】
金属筐体２２は、外殻２２１、中殻２２２および内殻２２３の金属の３層構造で構成され、中殻２２２内で内殻２２３を電気的に絶縁して支持する絶縁体２２４および外殻２２１に中殻２２２を支持させる支持部材２２５を、さらに備えている。導電性を有する外殻２２１、中殻２２２および内殻２２３は、錫、亜鉛、ＳＵＳ３０４或いはアルミなどの金属から成り、本実施形態では大略六角筒状に形成される。
【００３９】
外殻２２１は、強度を得るために、相対的に肉厚な、たとえば３ｍｍの金属板で形成される。中殻２２２は、外殻２２１と電気的に接続される支持部材２２５によって、前記外殻２２１の内側に予め定める間隔、たとえば１０ｃｍを開けて配置される。また、中殻２２２は、量子波を反射するのに好適な材料から成り、たとえば３ｍｍの金属板で形成される。内殻２２３は、相対的に薄肉、たとえば１ｍｍで、量子波の発振に好適な金属板で形成される。また、内殻２２３は、発泡スチロールなどの絶縁体２２４によって、中殻２２２の内側に予め定める間隔、たとえば１０ｍｍを開けて、かつ中殻２２２から電気的に絶縁されて配置される。こうして、極めて効率的に、被治療者９に量子波を照射できるようになっている。
【００４０】
そして、内殻２２３には、後述するように量子テレポーテーションでアンテナ３によって受信された量子波が、ケーブル３１を介して与えられる。アンテナ３は、金属筐体２２の頂部２６に設置されたカバー３５内に収納される。前記カバー３５は、金属製で、アンテナ３を収納することで、該アンテナ３と電気的に導通する。カバー３５は、外殻２２１およびそれに接続される中殻２２２とは、ゴムシート３３などで電気的に絶縁され、それらの外殻２２１および中殻２２２に形成された接続孔２７を挿通したケーブルが、該カバー３５の底面と、内殻２２３の天面とを電気的に接続する。
【００４１】
なお、図３では模式的に示しているが、金属筐体２２の六面の内の底面は、被治療者９が横たわり、六角筒の軸方向に引出し／収納可能な寝台２４が形成されている。その寝台２４側には、内殻２２３および樹脂パネル２３が設けられ、内殻２２３は残余の面の内殻２２３と、ケーブル２８で電気的に接続されている。前記底面の床面側には、外殻２２１および中殻２２２が形成され、被治療者９の出入りのために、中殻２２２上に形成されたレール２５を、前記寝台２４が走行可能となっている。
【００４２】
上述のように構成されるドーム２において、本件発明者の実験結果によれば、半導体パウダー２３２の濃度に対して、量子波の反射率は、２重量％程度で飽和を始めるので、最小の含有量は、この２重量％とすることが好ましい。そうすることで、コストパフォーマンスを高めることができる。そして、濃度ばらつきなどを考慮して、最適値は、５重量％とするのが、特に好ましい。一方、最大値は、２０重量％でほぼ完全に飽和するので、材料費を抑え、また樹脂の強度低下を抑えるためにも、この２０重量％とするのが好ましい。
【００４３】
樹脂パネル２３は、上述のように、ＡＢＳなどの樹脂２３１に半導体パウダー２３２が練り込まれ、成型によって形成される。上述のような略六角筒或いは略円筒の内壁面を形成するために、樹脂パネル２３は、たとえば５ｃｍ角程度の小さい面積に成型され、ビス２９によって、内殻２２３にねじ止め固定される。この樹脂パネル２３が、厚ければ反射の効果が大きくなるが、コストが掛る。そこで、樹脂パネル２３２を２ｍｍ以上の板厚とすることで、半導体パウダー２３２が前記５重量％含有されている場合における所期の反射率を得ることができる。また、２ｍｍとすることで、コストパフォーマンスを高めることができる。
【００４４】
また、本件発明者の実験結果によれば、半導体パウダー２３２としては、金属酸化物やケイ酸塩化合物が、量子波を反射させる効果が大きく、好適である。前記金属酸化物としては、酸化亜鉛、酸化チタン、酸化ジルコニウム、ケイ酸マグネシウム、酸化アルミニウムの少なくとも１つを含むことが好ましい。また、前記金属酸化物やケイ酸塩化合物は、複数種類が組合わせて用いられることが好ましい。さらに、上記の金属酸化物やケイ酸塩化合物は、精製された鉱物ではなく、天然鉱物のままで、それらを含む鉱石を粉砕して使用してもよい。
【００４５】
さらに、樹脂２３１には、導電性を持たせるための金属パウダーが練り込まれていることが好ましい。金属パウダーとしては、たとえば錫や亜鉛の粉末である。このように半導体パウダー２３２に金属パウダーが練り込まれていることで、樹脂パネル２３が量子波を反射する効果をより大きくすることができる。そして、これらの半導体パウダー２３２および金属パウダーは、１０μｍ以上、１００μｍ以下、特に好ましくは３０μｍ以上、５０μｍ以下（たとえば３２５メッシュ）の粉体とすることで、樹脂パネル２３が量子波を反射する効果をより大きくすることができる。
【００４６】
以下に、量子治療器１による本発明の実施の一形態に係る量子波の照射方法について詳述する。本実施形態では、量子波は、アンテナ３と、量子波発生器４と、ＬＥＤ量子照射器６とによって発生され、上述のように構成されるドーム２を用いて、極めて効率的かつ相乗効果を持って、被治療者９に照射されることになる。
【００４７】
先ず、第１の量子波発生器としてのアンテナ３は、量子波発振器で発振され、アンテナ８から送信された量子波を、前記量子テレポーテーション現象を利用して、超光速で受信し、ケーブル３６を介して内殻２２３の内壁面２１から、ドーム２内に再放射させる。再放射される量子としては、前記光子、電子、クウォーク、ニュートリノ等である。
【００４８】
前記量子テレポーテーション現象を利用するには、受信を行うアンテナ３は、送信を行うアンテナ８と、同種の金属材料で、小型の相似形に形成されることが好ましい。これは、本件発明者の実験結果では、送信側のアンテナ８と受信側のアンテナ３との金属材料が異なると、量子エネルギーの伝搬効率が悪く、また送信側のアンテナ８と受信側のアンテナ３との形状が異なると、量子エネルギーは、殆ど伝搬されなくなるためである。前記金属材料としては、前記の錫、亜鉛、ＳＵＳ３０４或いはアルミなどである。中でも、特にアルミが好ましい。こうして、送信側のアンテナ８と受信側のアンテナ３とを同種の金属材料で相似形に形成することで、量子エネルギーを効率的に伝搬することができる。
【００４９】
さらに、本件発明者の実験結果によれば、相似のアンテナ３，８は、六角筒状であると、量子エネルギーの伝搬効率が最も高い。特に、図１で示すように、前記六角筒を半割れにし、３つの壁面３１１，３１２，３１３；３２１，３２２，３２３、８１１，８１２，８１３；８２１，８２２，８２３を有する一対の部材３１，３２；８１，８２の組合わせで実現する場合、前記部材３１，３２；８１，８２は、矩形の金属板を３等分する位置で１２０度折り曲げることで、容易に形成することができる。
【００５０】
ここで、後述のような他の量子波発生器４やＬＥＤ量子照射器６によって、ドーム２の設置場所において、量子波を発生し、ドームに与えることは可能である。しかしながら、前記の量子テレポーテーション現象を利用することで、距離および時間に拘わりなく、量子治療器１の外部に設けられた専用で大掛かりな量子波発振器で発生されたエネルギーの大きな量子波を、同時にドーム２内に輻射することができる。
【００５１】
次に、第２の量子波発生器としての量子波発生器４は、たとえば図４で示されるように構成される。図４の量子波発生器４は、交流電圧を発生する交流電源４１と、前記交流電圧に、外部電磁波から誘導された電圧を重畳するＬＣ並列共振回路４２と、前記重畳された電圧を整流して、負の成分を前記ドーム２の内壁面２１に与える整流素子４３とを備えて構成される。整流素子４３からの出力は、ケーブル４４を介して、前記内殻２２３に与えられる。
【００５２】
交流電源４１は、可変周波数で交流を発生し、その周波数範囲は、２Ｈｚ以上、２００Ｈｚ以下であり、好ましくは１００Ｈｚである。また、交流電源４１の出力電圧は、２５Ｖ以上、２５０Ｖ以下、好ましくは１００Ｖで、１００ｍＡ以上、３００ｍＡ以下の電流で出力する。ＬＣ並列共振回路４２は、前記外部電磁波から共振周波数成分を抽出する。その共振周波数は、２０ｋＨｚ以上、２ＭＨｚ以下である。そして、交流電源４１の交流電圧に、外部電磁波からＬＣ並列共振回路４２に誘導された電圧が重畳された電圧を整流素子４３で整流して、負の成分をドーム２の内壁面２１に与えることで、該内壁面から、前記光子、電子、クウォーク、ニュートリノ等の量子が輻射される。なお、整流素子４３を設けずに、全波の成分を内壁面２１に与えても、量子は輻射されるものの、本件発明者の実験結果によれば、輻射量は大幅に減少してしまうので、負の成分だけを与えることが好ましい。
【００５３】
この量子波発生器４によって、ドーム２の設置場所において、量子波を発生することができる。また、このような低周波電圧で、前記量子テレポーテーション現象によってドーム２の内壁面２１から輻射される量子波を、増強することもできる。
【００５４】
ドーム２は、上述のように地面から絶縁されているが、数μＡ〜数十μＡの低周波の微弱電流が、該ドーム２から空中へ流れる。そこで、該ドーム２と地面との間に高抵抗を入れて、前記微弱電流、したがって被治療者９に照射される量子エネルギーを、適切に調整することも可能である。すなわち、装置の規模などに応じて、放電量を大きくすると、使用できるエネルギーが小さくなると言う具合である。
【００５５】
好ましくは、本実施形態の量子治療器１では、高圧電源５が、さらに設けられている。この高圧電源５は、ケーブル５１を介して、前記ドーム２の内壁面２１に、低周波、たとえば５０Ｈｚや６０Ｈｚで周期的に変化する３０００Ｖ以上、１００００Ｖ以下の負の高電圧を与える。本件発明者の実験結果では、市販の高電圧治療器などから成る高圧電源５を前記ドーム２の内壁面２１に接続して低周波の負の高電圧を与えることで、前記ドーム２の内壁面２１から輻射される量子波を増強することができ、好適である。図１の例では、高圧電源５を、量子波増幅器として示し、インジケータ５２が点灯すると３０００Ｖを出力しており、インジケータ５３が点灯すると６０００Ｖを出力しており、インジケータ５４が点灯すると９０００Ｖを出力していることを表す。
【００５６】
また好ましくは、本実施形態の量子治療器１では、マイクロ波発振器が設けられてもよい。そのマイクロ波発振器には、美顔器に用いられているものを使用することができる。マイクロ波は、水晶振動子に電圧を掛けることで発生させることができ、発振周波数は、その水晶振動子に接続される発振板の材質によって変化させることができる。前記発振板は、カーボン、黒鉛、チタン、マグネシウム、ＳＵＳなどの導電体板から成り、前記発振周波数は、１０〜２００ＭＨｚ、パワーは２〜３０Ｗである。このマイクロ波によって、量子波との相乗効果で治療効果を高めることができ、マイクロ波の周波数を変化することで、前記被治療者９における治療対象部位を変更することができる。
【００５７】
続いて、第３の量子波発生器としてＬＥＤ量子照射器６を説明する。そのＬＥＤ量子照射器６周りの構成を、図５に示す。図５は、ドーム２の後方天井付近を見上げて示す斜視図である。ドーム２の後方は、通気用の開口２０１を有する端板２０で覆われている。その天井付近には、中央に監視カメラ７９が設置され、両側にはスピーカ７１，７２が設置され、監視カメラ７９の下方に、ＬＥＤ量子照射器６が設置されている。監視カメラ７９は、図示しない該量子治療器１の操作用のパーソナルコンピュータなどと接続され、被治療者９のモニターが可能となっている。スピーカ７１，７２は、図１で示すＣＤ７４をプレーヤ７３で再生した音楽を放射し、被治療者９をリラックスさせる。
【００５８】
このＬＥＤ量子照射器６は、量子エネルギーの伝送手段に光を使用可能であると言う本件発明者の発見に基づくものであり、光に、量子エネルギーを重畳して、被治療者９まで伝搬させると言う、新規な量子治療器である。ＬＥＤ量子照射器６は、多数のＬＥＤ６１の集合体で構成されており、各ＬＥＤ６１は共通の基板に搭載されて、図示しない電源からの直流電圧が与えられることで点灯する。そのＬＥＤ６１の搭載された基板は、筐体６２内に格納され、前面には、ＬＥＤ６１の保護および集光を兼ねて、各ＬＥＤ６１に対応したレンズを有するカバーが被せられる。ＬＥＤ量子照射器６は、上記のように、光に量子エネルギーを重畳して被治療者９まで伝搬するので、先ず直達光をできるだけ多く被治療者９に届くように、該ＬＥＤ量子照射器６は、ドーム２の天井に、所定の俯角（見下ろし角）を持って取付けられる。
【００５９】
ここで、光を発する素子には、様々な物が存在するが、上述のように、光を量子エネルギーのキャリアとして用いるにあたって、同じ光を発する素子でも、白熱電球や蛍光灯には量子が蓄積されず、ＬＥＤや半導体レーザなどの半導体発光素子でないと効果の無いことが、本件発明者の実験によって確認されている。そこで、前記素子としては、量子を予め定める周期で照射されることで、量子情報を記憶しているＬＥＤなどの半導体発光素子を用い、その半導体発光素子に通電する電源を備える。そして、通電が行われると、半導体発光素子から放射される光をキャリアとして、該光に、記憶されている前記量子情報に基づく量子エネルギーが重畳され、被照射部位へ伝搬される。
【００６０】
図６は、ＬＥＤ６１への量子情報６９の照射方法を模式的に示す図である。図６（ａ）で示すように、量子情報６９の照射は、ＬＥＤ６１を導電板６３上に載置し、その導電板６３に予め定める周期の負の電圧を印加することで行われる。導電板６３に負の電位や電場を所定時間印加することで、該導電板６３から発生した量子をＬＥＤ６１に蓄積することができる。導電板６３は、図６（ｂ）で示す印加回路６５や、図６（ｃ）で示す印加回路６６からの負の電圧が印加されることで、前記電位や電場を発生する。導電板６３は、図６（ａ）で示すように、たとえばＭΩ以上の高抵抗６４を介して接地されていてもよい。
【００６１】
印加回路６５は、交流電源６５１の一方の端子に接続されるダイオード６５２および抵抗６５３の直列回路と、他方の端子に接続されるダイオード６５４および抵抗６５５の直列回路とを備えて構成される。ダイオード６５２，６５４のカソードが交流電源６５１に接続され、アノードが抵抗６５３，６５５の一端に接続される。これによって、抵抗６５３，６５５の他端から取出された負で半波の電圧が、導電板６３に印加される。交流電源６５１は、単相２線の場合、１線は柱上変圧器内などで接地されており、この印加回路６５は、２線の何れがホット側か不明な場合に、確実に負の電圧を取出すことができるようになっている。
【００６２】
また、印加回路６６は、ダイオード６６２〜６６５から成るダイオードブリッジで構成される。交流電源６６１の一方の端子にはダイオード６６２のカソードおよびダイオード６６４のアノードが接続され、他方の端子にはダイオード６６３のカソードおよびダイオード６６５のアノードが接続され、ダイオード６６４，６６５のカソードが接地される。これによって、ダイオード６６２，６６３のアノードから取出された負で全波の電圧が、導電板６３に印加される。
【００６３】
交流電源６５１，６６１は、２Ｈｚ以上、２ｋＨｚ以下、好ましくは３Ｈｚ以上、１００Ｈｚ以下の交流電圧を印加する。交流電源６５１，６６１が商用電源である場合、５０または６０Ｈｚで、たとえば１００Ｖ（実効値）の電圧が、導電板６３に印加されることになる。なお、本実施形態で交流電源６５１，６６１を使用しているのは、回路が簡単であるためで、周期的な負の電圧としては、三角波、矩形波或いはパルス波などであってもよい。
【００６４】
このように導電板６３に周期的な負の電圧を印加することで、ＬＥＤ６１には、光子、電子、クウォーク、ニュートリノ等、１７種の量子の内の何れかが照射される（中でも、クウォークが発生し易く（多く発生し）、ニュートリノは発生の可能性が考えられる）ことになる。それらの量子が、所定時間、具体的には２〜３分以上、好ましくは、４〜５分以上照射されることで、該ＬＥＤ６１には量子情報６９が記憶される。そして、その量子情報６９を記憶したＬＥＤ６１に直流電源から通電すると、該ＬＥＤ６１から量子エネルギーが放射されることになる。
【００６５】
したがって、その放射された量子エネルギーを生物が浴びた時、組織を活性化し、具体的には原子の電子配列が影響を受け（素材原子の外殻電子軌道に変動を生じさせ、それによる陽子の振動によって量子波を発生させ）、たとえば動物の血行を促進したり、患部の治癒効果を高めたりすることができる。しかも、前記予め定める周期に応じて、対象とする症状を、異ならせることができる。特に、前記予め定める周期を３〜１００Ｈｚとすると、人の血行改善効果を得ることができ、肩凝りやむくみが解消したり、傷口が早く治ったりするようになる。
【００６６】
以下に、本件発明者の治験結果を示す。現在、４台の治療器が稼働中で、治験データは２００例以上集まり、顕著な例では、４期の肝臓癌とII型糖尿病とを患う６７才の男性患者が、１時間、２回の照射で、癌が完全に消失している。本治験結果では、このような８０％以上の改善例を抽出しているが、その２００例以上の症例から、たとえば認知症を改善できる周波数や、脳細胞の再生を速める周波数が明らかになるなどの効果も得られている。治験では、ＬＥＤ量子照射器６は使用せず、アンテナ３および量子波発生器４を使用して、ドーム２内に量子波を導入している。
【００６７】
加齢性黄斑変性症で病歴１５年の女性→４０分１回の治療で１００％視力が回復
白血病で病歴５年の男性→１時間３回の治療で８０％回復
肺癌で病歴２年の男性→１時間３回の治療で癌細胞消失
放射線被曝症で病歴１年の女性→１時間２回の治療で８０％改善
大腸癌（腸閉塞）で病歴２年の女性→１時間３回の治療で癌細胞消失
脳性麻痺（右半身）で病歴４２年の女性→１時間１０回の治療で感覚回復、歩行器で歩行可能に８０％回復
子宮頸癌で病歴１年の女性→３０分３回の治療で癌は８０％縮小
その他の殆どの原因不明症について、総ての症例で改善効果が認められ、改善効果が認められ無かった症例は皆無である。
【００６８】
以上のように、本実施形態の量子治療器１では、第１の量子波発生器であるアンテナ３からの量子テレポーテションによる量子波、第２の量子波発生器４からの量子波および第３の量子波発生器であるＬＥＤ量子照射器６からの量子波の何れかを、量子照射用ドーム２内に放射し、被治療者９に照射するので、極めて効率的かつ相乗効果を持って、被治療者９の治療を行うことができる。
【００６９】
本実施形態は、人間の治療を行う量子治療器１として利用される例を説明したが、上述の構成は、他の被照射物にも適用可能である。たとえば、その他の被照射物としては、食物や生物、工業製品などの種々の物体であり、その原子核の変性を、効率的に行うこともできる。
【符号の説明】
【００７０】
１    量子治療器
２    量子照射用ドーム
２１    内壁面
２２    金属筐体
２２１  外殻
２２２  中殻
２２３  内殻
２２４  絶縁体
２２５  支持部材
２３    樹脂パネル
２３１  樹脂
２３２  半導体パウダー
２４    寝台
２５    レール
２８    ケーブル
３    アンテナ
３１，３２    一対の部材
３１１，３１２，３１３；３２１，３２２，３２３    壁面
３３    ゴムシート
３５    カバー
３６    ケーブル
４    量子波発生器
４１    交流電源
４２    ＬＣ並列共振回路
４３    整流素子
４４    ケーブル
５    高圧電源
５１    ケーブル
５２〜５４    インジケータ
６    ＬＥＤ量子照射器
６１    ＬＥＤ
６２    筐体
６９    量子情報
７１，７２    スピーカ
７３    プレーヤ
７９    監視カメラ
８    アンテナ
８１，８２    一対の部材
８１１，８１２，８１３；８２１，８２２，８２３    壁面
９    被治療者
【図１】
2017094052.tif 000003
【図２】
2017094052.tif 000004
【図３】
2017094052.tif 000005
【図４】
2017094052.tif 000006
【図５】
2017094052.tif 000007
【図６】
2017094052.tif 000008